(57)【要約】【課題】従来のこの種のディスクドライブ装置では、予め印刷領域が設定されているため、印刷領域の大きさや位置を自由に設定することができないという課題がある。また、印刷した領域に対応するマーキングをレーベル面に設けると、印刷の作業時間が長くなると共にレーベル面の見た目が良くないという課題がある。【解決手段】光ディスク１０１を回転させるスピンドルモータ２と、光ピックアップ３と、印刷ヘッド４と、スピンドルモータ２の回転に応じたパルス信号を発生させるエンコーダ５と、光ピックアップ３によって光ディスク１０１の特定のアドレスを再生したときにパルスが発生する特定アドレス信号を生成する信号処理部６と、制御部７を備えてディスクドライブ装置１を構成した。そして、制御部７が、パルス信号及び特定アドレス信号に基づいて、光ディスク１０１の特定のアドレスが記録されたディスク基準位置とパルス信号を関連付けるディスク関連付け処理を行い、そのパルス信号から光ディスク１０１の位置情報を得るようにした。【選択図】図１
2008181640.tif 000002
【特許請求の範囲】
【請求項１】
情報記録面に複数のアドレスが記録されたディスク状記録媒体を回転させる回転駆動部と、
前記回転駆動部により回転される前記ディスク状記録媒体の前記情報記録面に対して情報信号の記録及び／又は再生を行う記録及び／又は再生部と、
前記回転駆動部により回転される前記ディスク状記録媒体のレーベル面にインク滴を吐出して可視情報の印刷を行う印刷ヘッドと、
前記回転駆動部の回転を検知してパルス信号を発生させるパルス信号発生部と、
前記記録及び／又は再生部によって前記ディスク状記録媒体の特定のアドレスを再生したときにパルスが発生する特定アドレス信号を生成する信号処理部と、
前記パルス信号及び前記特定アドレス信号に基づいて、前記ディスク状記録媒体の前記特定のアドレスが記録されたディスク基準位置と前記パルス信号を関連付けるディスク関連付け処理を行い、当該パルス信号から前記ディスク状記録媒体の位置情報を得る制御部と、を備えた
ことを特徴とするディスクドライブ装置。
【請求項２】
前記パルス信号発生部は、前記回転駆動部と同期して回転すると共にその回転方向に所定の間隔をあけて形成した複数の検出部を有するエンコーダディスクと、当該エンコーダディスクの前記複数の検出部を検出して前記パルス信号を出力するエンコーダセンサからなり、
前記制御部は、前記パルス信号から前記エンコーダディスクの基準位置を検出した後、前記特定アドレス信号から前記ディスク基準位置を検出し、その間に発生する前記パルス信号パルス数に基づいて前記ディスク関連付け処理を行う
ことを特徴とする請求項１記載のディスクドライブ装置。
【請求項３】
前記ディスク状記録媒体を前記回転駆動部に装着させ、前記ディスク状記録媒体と一体に回転されるチャッキング部材と、
前記チャッキング部材が取り付けられるチャッキング回転軸と、
前記チャッキング回転軸を回転可能に支持するチャッキング支持部材と、
前記エンコーダディスクを前記チャッキング回転軸に着脱可能に装着させるエンコーダディスク着脱機構をさらに備え、
前記制御部は、前記印刷ヘッドにより前記ディスク状記録媒体のレーベル面に可視情報の印刷を行う場合に、前記エンコーダ着脱機構によって前記エンコーダディスクを前記チャッキング部に装着させる
ことを特徴とする請求項２記載のディスクドライブ装置。
【請求項４】
前記エンコーダディスク着脱機構は、
前記エンコーダディスクが固定されると共に前記チャッキング回転軸の上部に装着可能な装着部材と、
前記装着部材に係合し、前記装着部材を前記チャッキング回転軸の軸方向に移動させる移動部材と、
前記移動部材を駆動させる駆動部と、を有する
ことを特徴とする請求項３記載のディスクドライブ装置。
【請求項５】
前記パルス信号発生部は、前記回転駆動部に搭載されると共に前記パルス信号を出力する周波数発生器からなり、
前記制御部は、前記回転駆動部に設けられたＺ相信号出力回路によって出力されるＺ相信号から回転駆動部基準位置を検出した後、前記特定アドレス信号から前記ディスク基準位置を検出し、その間に発生する前記パルス信号のパルス数に基づいて前記ディスク関連付け処理を行う
ことを特徴とする請求項１記載のディスクドライブ装置。
【請求項６】
前記パルス信号発生部は、前記回転駆動部と同期して回転すると共にその回転中心に向かって延在される１つの検出部を有するエンコーダディスクと、当該エンコーダディスクの前記１つの検出部を検出して前記パルス信号を出力するエンコーダセンサからなり、
前記制御部は、前記パルス信号から前記エンコーダディスクの基準位置を検出した後、前記特定アドレス信号から前記ディスク基準位置を検出し、その間に要する時間に基づいて前記ディスク関連付け処理を行う
ことを特徴とする請求項１記載のディスクドライブ装置。
【請求項７】
前記パルス信号発生部は、前記回転駆動部に搭載されたＺ相信号出力回路であり、
前記制御部は、前記Ｚ相信号出力回路によって出力されるＺ相信号から回転駆動部基準位置を検出した後、前記特定アドレス信号から前記ディスク基準位置を検出し、その間に要する時間に基づいて前記ディスク関連付け処理を行う
ことを特徴とする請求項１記載のディスクドライブ装置。
【請求項８】
前記制御部は、前記記録及び／又は再生部を制御して、前記ディスク状記録媒体の前記レーベル面に印刷した前記可視情報の印刷済み領域を、前記ディスク状記録媒体の前記情報記録面に記録させる
ことを特徴とする請求項１記載のディスクドライブ装置。
【請求項９】
前記制御部は、前記ディスク状記録媒体の前記レーベル面に印刷した前記可視情報の印刷済み領域を記憶するメモリを有する
ことを特徴とする請求項１記載のディスクドライブ装置。
【請求項１０】
前記制御部は、前記ディスク状記録媒体の前記レーベル面に可視情報を印刷する際に、前記パルス信号に基づいて前記回転駆動部を制御し、前記ディスク状記録媒体を一定の速度で回転させる
ことを特徴とする請求項１記載のディスクドライブ装置。
【請求項１１】
情報記録面に複数のアドレスが記録されたディスク状記録媒体を回転駆動部により回転させ、当該ディスク状記録媒体のレーベル面にインク滴を吐出して可視情報の印刷を行うディスク印刷方法において、
前記回転駆動部の回転を検知してパルス信号を出力させる工程と、
前記ディスク状記録媒体の特定のアドレスを再生したときにパルスが発生する特定アドレス信号を出力させる工程と、
前記パルス信号及び前記特定アドレス信号に基づいて、前記ディスク状記録媒体の前記特定のアドレスが記録されたディスク基準位置と前記パルス信号とを関連付けるディスク関連付け処理を行う工程と、
前記ディスク関連付け処理の処理結果に基づいて前記パルス信号から前記ディスク状記録媒体の位置情報を得る工程と、
前記ディスク状記録媒体の位置情報に基づいて前記レーベル面に可視情報を印刷する工程と、を有する
ことを特徴とするディスク印刷方法。
【発明の詳細な説明】
【技術分野】
【０００１】
本発明は、ディスク状記録媒体の情報記録面に情報を記録可能であって、回転させたディスク状記録媒体のレーベル面にインク滴を吐出して文字、絵柄等の可視情報を印刷可能なディスクドライブ装置、及びそのディスクドライブ装置を用いたディスク印刷方法に関するものである。
【背景技術】
【０００２】
従来の、この種のディスクドライブ装置としては、例えば、特許文献１に記載されているようなものがある。特許文献１には、光ディスクのラベル面に文字や図柄などを印刷する光ディスク印刷装置に関するものが記載されている。この特許文献１に記載された光ディスク印刷装置は、「印刷データを取得する取得手段と、光ディスクのラベル面に印刷を行う印刷手段と、光ディスクの記録面を走査する走査手段と、光ディスクにおいて予め決められた基準位置を特定する基準位置特定手段と、前記走査手段を用いて光ディスクの記録面を走査し、該記録面に記録された実データと実データとの境界に配置されている境界領域を検出することで該記録面に記録された実データの個数を特定するデータ個数特定手段と、光ディスクのラベル面の決められた位置に配置された複数の印刷領域の中から、前記基準位置を基準として、前記データ個数特定手段によって特定された実データの個数に見合った位置に配置されている印刷領域を特定する印刷領域特定手段と、特定された印刷領域に対して、前記取得手段によって取得された印刷データに基づいた印刷を前記印刷手段に行わせる印刷制御手段とを備える」ことを特徴としている。
【０００３】
このような構成を有する特許文献１に記載の光ディスク印刷装置によれば、「光ディスクのラベル面への複数回の印刷が可能となる（段落［０００６］を参照）」等の効果が期待される。
【０００４】
従来のこの種のディスクドライブ装置の他の例としては、例えば、特許文献２に記載されているようなものもある。特許文献２には、印刷機能を備えた光ディスク記録装置に関するものが記載されている。この特許文献２に記載された光ディスク記録装置は、「レーベルを備えた光ディスクに情報の記録を行う光ディスク記録装置であって、前記光ディスクのレーベルに印字を行うレーベル印刷手段を有する」ことを特徴としている。
【０００５】
このような構成を有する特許文献２に記載の光ディスク記録装置によれば、「光ディスクの光学的記録終了後、レーベル印刷の為に新たにプリンタを用意し光ディスクをセッティングし直したり、印刷内容に関する内容、例えばタイトルや出演者、印象的なシーンなどの情報を新たに入力したりといった煩雑な作業をすることなしに、素早く、容易に映像や音楽等の記録からレーベル印刷まで１台の機器で一連の作業を完結することが可能となる（段落［００７９］を参照）」等の効果が期待される。
【特許文献１】特開２００６−２４４６０１号公報
【特許文献２】特開２００４−１９２７３５号公報
【０００６】
しかしながら、特許文献１に記載された光ディスク印刷装置においては、光ディスクのラベル面に予め複数の印刷領域を設定すると共に、それら複数の印刷領域の印刷する順番も予め決定していた。そして、ピックアップ部が記録面の最も先頭に記録されたリードインを検出するのと同時に光ディスクの回転を停止させ、それぞれの印刷領域の相対的な位置関係を一定に維持することにより、ラベル面に追加印刷が可能な構成となっていた。そのため、印刷領域が制限され、印刷領域の大きさや位置を自由に設定することができないという問題があった。
【０００７】
また、特許文献２に記載された光ディスク記録装置においては、レーベル面の最外周に設けたマーキングをマーキングセンサによってスキャンすることにより、印刷済み領域と空白領域とを識別すると共に、光ディスクの情報記録面の最外周に記録されたデータをピックアップ部により読み取り、その出力を位置データとして用いていた。そして、両者のデータを関連付けて光ディスクの印刷済み領域の位置を把握することにより、レーベル面に追加印刷が可能な構成となっていた。そのため、印刷した領域に対応するマーキングをレーベル面の最外周に印字する必要があり、作業時間が長くなると共にレーベル面の見た目が良くないという問題があった。
【発明の開示】
【発明が解決しようとする課題】
【０００８】
解決しようとする問題点は、従来のこの種のディスクドライブ装置では、追加印刷が可能な構成にすると、印刷領域が制限され、印刷領域の大きさや位置を自由に設定することができない、という点である。また、印刷した領域に対応するマーキングをレーベル面に設けると、印刷の作業時間が長くなると共にレーベル面の見た目が良くない、という点である。
【課題を解決するための手段】
【０００９】
本発明のディスクドライブ装置は、情報記録面に複数のアドレスが記録されたディスク状記録媒体を回転させる回転駆動部と、回転駆動部により回転されるディスク状記録媒体の情報記録面に対して情報信号の記録及び／又は再生を行う記録及び／又は再生部と、回転駆動部により回転されるディスク状記録媒体のレーベル面にインク滴を吐出して可視情報の印刷を行う印刷ヘッドと、回転駆動部の回転を検知してパルス信号を発生させるパルス信号発生部と、記録及び／又は再生部によってディスク状記録媒体の特定のアドレスを再生したときにパルスが発生する特定アドレス信号を生成する信号処理部と、パルス信号及び特定アドレス信号に基づいて、ディスク状記録媒体の特定のアドレスが記録されたディスク基準位置とパルス信号を関連付けるディスク関連付け処理を行い、そのパルス信号からディスク状記録媒体の位置情報を得る制御部と、を備えたことを最も主要な特徴とする。
【００１０】
また、本発明のディスク印刷方法は、情報記録面に複数のアドレスが記録されたディスク状記録媒体を回転駆動部により回転させ、そのディスク状記録媒体のレーベル面にインク滴を吐出して可視情報の印刷を行うディスク印刷方法である。このディスク印刷方法は、回転駆動部の回転を検知してパルス信号を出力させる工程と、ディスク状記録媒体の特定のアドレスを再生したときにパルスが発生する特定アドレス信号を出力させる工程と、パルス信号及び特定アドレス信号に基づいて、ディスク状記録媒体の特定のアドレスが記録されたディスク基準位置とパルス信号とを関連付けるディスク関連付け処理を行う工程と、ディスク関連付け処理の処理結果に基づいてパルス信号からディスク状記録媒体の位置情報を得る工程と、ディスク状記録媒体の位置情報に基づいてレーベル面に可視情報を印刷する工程と、を有することを特徴とする。
【発明の効果】
【００１１】
本発明のディスクドライブ装置及びディスク印刷方法によれば、ディスク状記録媒体の排出及び挿入が繰り返されても、常に、そのディスク状記録媒体の絶対位置を把握することができ、レーベル面に位置検出用のマーキング等を設けなくても、レーベル面に対して追加印刷を行うことができる。
【発明を実施するための最良の形態】
【００１２】
ディスク基準位置とパルス信号とを関連付けるディスク関連付け処理を行ってパルス信号からディスク状記録媒体の位置情報を得ることにより、ディスク状記録媒体のレーベル面に位置検出用のマーキング等を設けなくても、ディスク状記録媒体の絶対位置を特定することができ、追加印刷が可能なディスクドライブ装置及びディスク印刷方法を簡単な構成によって実現した。
【００１３】
以下、本発明のディスクドライブ装置を実施するための最良の形態について、図面を参照して説明するが、本発明は以下の形態に限定されるものではない。
【００１４】
図１〜図１４は、本発明の実施の形態の例を説明するものである。即ち、図１〜５は本発明のディスクドライブ装置の第１実施形態を示すものであり、図１はディスクドライブ装置の構成を示すブロック図、図２は図１に示すパルス発生部を説明する説明図、図３はパルス発生部のエンコーダディスクを説明する説明図、図４はパルス発生部に対するディスク状記録媒体の相対位置の検出手順を示すフローチャート、図５はパルス発生部により出力されるパルス信号と信号処理部により生成される特定アドレス信号を示す説明図である。図６及び図７は追加印刷を説明する説明図である。
【００１５】
図８〜図１０は本発明のディスクドライブ装置の第２実施形態を示すものであり、図８はディスクドライブ装置の構成を示すブロック図、図９はパルス発生部に対するディスク状記録媒体の相対位置の検出手順を示すフローチャート、図１０はパルス発生部により出力されるパルス信号と信号処理部により生成される特定アドレス信号等を示す説明図である。
【００１６】
図１１〜図１４は本発明のディスクドライブ装置の第３実施形態を示すものであり、図１１はディスクドライブ装置の第３実施形態に係るパルス発生部を説明する説明図、図１２は図１１に示すパルス発生部のエンコーダディスクを説明する説明図、図１３はパルス発生部に対するディスク状記録媒体の相対位置の検出手順を示すフローチャート、図１４はパルス発生部により出力されるパルス信号と信号処理部により生成される特定アドレス信号を示す説明図である。
【００１７】
図１に示すディスクドライブ装置１は、ＣＤ−Ｒ(Compact Disc-Recordable)やＤＶＤ−ＲＷ(Digital Versatile Disc-Rewritable）等のディスク状記録媒体の一具体例を示す光ディスク１０１の情報記録面に対して、新たに情報信号を記録（書込み）したり、予め記録されている情報信号を再生（読出し）したりすることが可能であると共に、光ディスク１０１のレーベル面１０１ａに、文字、絵柄等の可視情報を印刷できるようにしたものである。
【００１８】
図１に示すように、ディスクドライブ装置１は、光ディスク１０１を回転させる回転駆動部の一具体例を示すスピンドルモータ２と、このスピンドルモータ２により回転される光ディスク１０１の情報記録面に情報の書き込み及び／又は読み出しを行う記録及び／又は再生部の一具体例を示す光ピックアップ３と、回転された光ディスク１０１のレーベル面１０１ａにインク滴を吐出して文字や画像などの可視情報の印刷を行う印刷ヘッド４と、回転駆動部の回転に応じたパルス信号を発生させるパルス信号発生部の一具体例を示すエンコーダ５と、信号処理部６と、光ピックアップ３や印刷ヘッド４を制御する制御部７等を備えて構成されている。
【００１９】
スピンドルモータ２の回転軸の先端には、ターンテーブル１１が設けられている。このターンテーブル１１は、光ディスク１０１の中心孔に着脱可能に嵌合されるディスク嵌合部を有しており、このディスク嵌合部が光ディスク１０１の中心孔に嵌合されることにより、光ディスク１０１がターンテーブル１１と一体的に回転可能な状態となる。そして、スピンドルモータ２を回転駆動することにより、光ディスク１０１がターンテーブル１１と一体的に回転される。
【００２０】
スピンドルモータ２の上方には、ターンテーブル１１に装着された光ディスク１０１を上から押えるチャッキングプレート１２が設けられている。このチャッキングプレート１２は、図示しない支持板に回転可能に支持されており、回転される光ディスク１０１と一体に回転する。これにより、チャッキングプレート１２とターンテーブル１１が光ディスク１０１を挟持して、ターンテーブル１１のディスク嵌合部が光ディスク１０１の中心孔から外れることを防止している。
【００２１】
光ピックアップ３は、光検出器と、対物レンズと、この対物レンズを光ディスク１０１の情報記録面（レーベル面１０１ａと反対側の面）に臨ませる二軸アクチュエータ等を有している。この光ピックアップ３は、光検出器から光ビームを出射し、その光ビームを対物レンズにより集光して光ディスク１０１の情報記録面に照射すると共に、その情報記録面で反射された戻りの光ビームを光検出器で受光する。これにより、光ピックアップ３は、情報信号を記録（書込み）したり、予め情報記録面に記録されている情報信号を再生（読取り）したりすることができる。
【００２２】
光ピックアップ３は、図示しないピックアップベースに搭載されていて、このピックアップベースと一体的に移動される。ピックアップベースは、図示しないピックアップモータを有するピックアップ移動機構により、光ディスク１０１の半径方向に移動可能とされている。このピックアップベースの移動時に、光ピックアップ３が光ディスク１０１の情報記録面に対して情報信号を記録したり、情報記録面に記録された情報信号を再生したりする。
【００２３】
ピックアップベースを移動させるピックアップ移動機構としては、例えば、送りネジ機構を適用することができる。しかしながら、本発明に係るピックアップ移動機構としては、送りネジ機構を適用することに限定されるものではなく、例えば、ラック・ピニオン機構、ベルト送り機構、ワイヤ送り機構その他の機構を適用することもできる。
【００２４】
印刷ヘッド４は、光ディスク１０１のレーベル面１０１ａに対向されている。図示しないが、印刷ヘッド４のレーベル面１０１ａに対向される面には、インク滴が吐出される複数の吐出ノズルが設けられている。印刷ヘッド４の複数の吐出ノズルは、所定の色のインク滴を吐出するノズル群により構成されている。本実施の形態では、シアン（Ｃ）のインク滴を吐出するシアンノズル群と、マゼンタ（Ｍ）のインク滴を吐出するマゼンタノズル群と、イエロー（Ｙ）のインク滴を吐出するイエローノズル群と、ブラック（Ｋ）のインク滴を吐出するブラックノズル群の４つのノズル群が設けられている。
【００２５】
印刷ヘッド４には、互いに平行とされた２本のガイド軸１４ａ，１４ｂが摺動可能に挿通されている。２本のガイド軸１４ａ，１４ｂは、光ディスク１０１の半径方向に延在されており、それぞれ軸方向の両端が図示しないガイド軸支持部材に固定されている。そして、印刷ヘッド４は、ヘッド駆動モータ１５を有するヘッド移動機構により、２本のガイド軸１４ａ，１４ｂに沿って移動可能とされている。このヘッド移動機構としては、ピックアップ移動機構と同様に、送りネジ機構、ラック・ピニオン機構、ベルト送り機構、ワイヤ送り機構その他の機構を適用することができる。
【００２６】
図２及び図３に示すように、エンコーダ５は、スピンドルモータ２と一体に回転するチャッキングプレート１２の回転軸に固定されるエンコーダディスク２１と、このエンコーダディスク２１の半径方向外側に配置されるエンコーダセンサ２２等を備えて構成されている。
【００２７】
エンコーダディスク２１は、薄い円板からなり、その中心部がチャッキングプレート１２の回転軸に固定されている。このエンコーダディスク２１には、周方向（スピンドルモータ２の回転方向）に所定の間隔をあけて半径方向に延在される複数のスリット２３が設けられている。また、エンコーダディスク２１には、所定の間隔をあけた位置にスリット２３を設けない歯抜け部分が設けられており、この歯抜け部分がパルス信号発生部の基準位置の一具体例を示すエンコーダホームポジション２４とされている。
【００２８】
エンコーダセンサ２２は、エンコーダディスク２１のスリット２３に対向する位置にセンス部２５を有している。このセンス部２５は、エンコーダディスク２１がスピンドルモータ２に同期して回転されたときに、通過する複数のスリット２３を検出してパルス信号の第１の具体例を示すエンコーダ信号を発生させる。即ち、エンコーダ信号は、スピンドルモータ２が所定角度回転する毎にパルスを出力する信号である。そして、エンコーダセンサ２２は、発生させたエンコーダ信号を中央制御部４１に出力する。
【００２９】
また、ディスクドライブ装置１は、信号処理部６と、制御部７と、インターフェース部３１と、記録制御回路３２と、モータ駆動回路３３と、インク吐出駆動回路３５と、ヘッド駆動回路３６等を有している。
【００３０】
インターフェース部３１は、パーソナルコンピュータ等の外部装置とディスクドライブ装置１とを電気的に接続する接続部である。このインターフェース部３１は、外部装置から供給された信号を制御部７に出力したり、制御部７から供給された信号を外部装置出力したりする。外部装置から供給される信号としては、例えば、光ディスク１０１の情報記録面に記録する記録情報に対応した記録データ信号や、光ディスク１０１のレーベル面１０１ａに印刷する可視情報に対応した画像データ信号を挙げることができる。また、制御部７から供給される信号としては、例えば、光ディスク１０１の情報記録面から読み出した再生データ信号を挙げることができる。
【００３１】
制御部７は、中央制御部４１と、ドライブ制御部４２と、プリント制御部４３から構成されている。中央制御部４１は、ドライブ制御部４２及びプリント制御部４３の制御をする部分である。この中央制御部４１は、インターフェース部３１から供給される記録データ信号をドライブ制御部４２へ出力すると共に、インターフェース部３１から供給される画像データ信号をプリント制御部４３に出力する。また、中央制御部４１は、ドライブ制御部４２から供給される特定アドレス信号とエンコーダセンサ２２から供給されるエンコーダ信号に基づいて、後述するディスク関連付け処理を行う。
【００３２】
ドライブ制御部４２は、制御信号をモータ駆動回路３３に出力し、スピンドルモータ２と図示しないピックアップ駆動モータの回転を制御する。また、ドライブ制御部４２は、制御信号を光ピックアップ３に出力し、光ピックアップ３から照射される光ビームが光ディスク１０１のトラックを追跡するようにトラックサーボ及びフォーカスサーボを制御する。更に、ドライブ制御部４２は、信号処理部６から供給される特定アドレス信号を中央制御部４１に出力する。
【００３３】
記録制御回路３２は、ドライブ制御部４２から供給される再生データ信号にエンコード処理や変調等の処理を行って、その処理した再生データ信号をドライブ制御部４２に出力する。モータ駆動回路３３は、ドライブ制御部４２から供給される制御信号に基づいてスピンドルモータ２を駆動させる。これにより、スピンドルモータ２のターンテーブル１１に装着された光ディスク１０１が回転される。また、モータ駆動回路３３は、ドライブ制御部４２からの制御信号に基づいてピックアップ駆動モータを駆動させる。これにより、光ピックアップ３がピックアップベースと一体に、光ディスク１０１の半径方向へ移動される。
【００３４】
信号処理部６は、光ピックアップ３から供給されるＲＦ（Radio Frequency）信号の復調及び誤り検出等を行って再生データ信号を生成する。また、信号処理部６は、光ピックアップ３が光ディスク１０１の情報記録面の特定のアドレスを再生したときに１パルスを出力する特定アドレス信号を生成する。そして、信号処理部６は、再生データ信号及び特定アドレス信号をドライブ制御部４２に出力する。
【００３５】
特定アドレスは、光ディスク１０１の情報記録面に記録された複数のアドレスのうちの１つのアドレスであり、このアドレスが記録されている位置を光ディスク１０１の基準位置（以下、「ディスク基準位置４５」という）とする。なお、この特定アドレスは、種類の異なる光ディスクにおいて共通するアドレスを設定することが好ましいが、光ディスクの種類毎に設定してもよい。
【００３６】
プリント制御部４３は、印刷ヘッド４及びヘッド駆動モータ１５等を制御して光ディスク１０１のレーベル面１０１ａに可視情報の印刷を実行させる。このプリント制御部４３は、中央制御部４１から供給された画像データ信号に基づいてインク吐出データを生成する。そして、プリント制御部４３は、生成したインク吐出データと中央制御部４１から供給される光ディスク１０１の位置情報を示す位置データ信号に基づいて印刷ヘッド４及びヘッド駆動モータ１５を制御する制御信号を生成し、その制御信号をインク吐出駆動回路３５とヘッド駆動回路３６に出力する。
【００３７】
インク吐出駆動回路３５は、プリント制御部４３から供給された制御信号に基づいて印刷ヘッド４を駆動させる。これにより、印刷ヘッド４の複数の吐出ノズルからインク滴が吐出され、回転された光ディスク１０１のレーベル面１０１ａに滴下される。また、ヘッド駆動回路３６は、プリント制御部４３から供給された制御信号に基づいてヘッド駆動モータ１５を駆動させる。このヘッド駆動モータ１５が駆動することにより、印刷ヘッド４が光ディスク１０１の半径方向へ移動される。
【００３８】
次に、ディスク基準位置４５とエンコーダ信号を関連付けるディスク関連付け処理について、図４及び図５を参照して説明する。図４に示すように、ディスクドライブ装置１のターンテーブル１１に光ディスク１０１が装着されると、ドライブ制御部４２は、スピンドルモータ２を制御して光ディスク１０１を回転させる（ステップＳ１）。これにより、エンコーダセンサ２２がエンコーダ信号を中央制御部４１に出力する。また、ドライブ制御部４２は、光ピックアップ３を制御して光ディスク１０１の情報記録面に記録された特定アドレスを連続して再生させる。これにより、信号処理部６が特定アドレス信号を生成し、中央制御部４１に出力する。
【００３９】
次に、中央制御部４１は、エンコーダセンサ２２から供給されたエンコーダ信号を一定時間毎に監視する(ステップＳ２)。そして、監視するエンコーダ信号からエンコーダホームポジション２４を検出（ステップＳ３）すると、中央制御部４１は、エンコーダ信号のパルス数をカウントする（ステップＳ４）。図５に示すように、エンコーダ信号のパルスは、所定の間隔をおいて立ち上がるが、エンコーダホームポジション２４がセンス部２５に対向したときにパルスが立ち上がらない間隔が長くなる。これを中央制御部４１が検出することにより、エンコーダ信号からエンコーダホームポジション２４を検出することができる。
【００４０】
次に、中央制御部４１が、信号処理部６から供給された特定アドレス信号を監視する(ステップＳ５)。そして、監視する特定アドレス信号からディスク基準位置４５を検出（ステップＳ６）すると、中央制御部４１は、エンコーダ信号のパルス数のカウントを停止する（ステップＳ７）。図５に示すように、特定アドレス信号は、光ピックアップ３がディスク基準位置４５の特定のアドレスを再生したきにパルスを立ち上げる。これを中央制御部４１が検出することにより、特定アドレス信号からディスク基準位置４５を検出することができる。
【００４１】
次に、中央制御部４１が、カウントしたパルス数を図示しないメモリに記憶する（ステップＳ８）。図５に示すように、中央制御部４１がエンコーダホームポジション２４を検出してからディスク基準位置４５を検出するまでにカウントしたパルス数が５パルスであったとする。この場合、光ディスク１０１は、ディスク基準位置４５がエンコーダホームポジション２４から５パルスずれた状態で回転されていることになる。
【００４２】
そこで、中央制御部４１は、エンコーダ信号において、エンコーダホームポジション２４を検出してからステップＳ８で記憶したパルス数後（本実施例では６パルスめ）に仮想のディスク基準位置を設定する（ステップＳ９）。その結果、中央制御部４１は、エンコーダ信号からディスク１０１の絶対位置を把握することができる。これにより、ディスク基準位置４５とエンコーダ信号を関連付けるディスク関連付け処理が終了する。
【００４３】
ディスク関連付け処理の終了後、光ディスク１０１のレーベル面１０１ａに対する可視情報の印刷が実行される。なお、ディスク関連付け処理が終了した後、光ディスク１０１の情報記録面に情報信号を記録（書込み）したり、予め記録されている情報信号を再生（読出し）したりすることもできる。
【００４４】
次に、ディスクドライブ装置１による光ディスク１０１のレーベル面１０１ａへの可視情報の印刷手順を説明する。光ディスク１０１のレーベル面１０１ａに可視情報を印刷するには、まず、ドライブ制御部４２がエンコーダ信号に基づいてスピンドルモータ２を制御し、光ディスク１０１を一定の速度で回転させる。このとき、中央制御部４１は、エンコーダ信号から検出する光ディスク１０１の絶対位置に基づいて光ディスク１０１の位置情報を示す位置データ信号を生成し、プリント制御部４３に出力する。
【００４５】
次に、プリント制御部４３が、中央制御部４１から供給された位置データ信号とインク吐出データに基づいてインク吐出駆動回路３５及びヘッド駆動回路３６を制御し、図６Ａ及び図７Ａに示すように、光ディスク１０１のレーベル面１０１ａに可視情報を印刷する。このとき、印刷ヘッド４は、一定の速度で回転される光ディスク１０１のレーベル面１０１ａに対してインク滴を吐出するため、インク滴の吐出のタイミングを一定にすることができ、プリント制御部４３によるインク吐出駆動回路３５及びヘッド駆動回路３６の制御を簡単にすることができる。
【００４６】
レーベル面１０１ａに対する可視情報の印刷が終了すると、中央制御部４１は、印刷した可視情報やディスク基準位置４５を基準として表現されるレーベル面１０１ａの印刷済み領域等の印刷済み情報をドライブ制御部４２に出力する。そして、ドライブ制御部４２が、光ピックアップ３とスピンドルモータ２を制御し、印刷済み情報を光ディスク１０１の情報記録面に記録する。
【００４７】
その後、光ディスク１０１をディスクドライブ装置１から取り外し、再び光ディスク１０１をディスクドライブ装置に装着すると、エンコーダディスク２１のエンコーダホームポジション２４と光ディスク１０１のディスク基準位置４５の相対位置が変化する。そのため、中央制御部４１は、光ディスク１０１が装着されるたびに、ディスク関連付け処理を行い、光ディスク１０１の絶対位置を把握する。そして、情報記録面に記録された印刷済み情報を再生することにより、レーベル面１０１ａの印刷済み領域の絶対位置を検出することができ、図６Ｂ及び図７Ｂに示すように、印刷済み領域以外の印刷可能領域に追加印刷を行うことができる。
【００４８】
図８は、本発明のディスクドライブ装置の第２実施形態を説明するもので、ディスクドライブ装置５１の構成を示すブロック図である。このディスクドライブ装置５１は、第１実施形態のディスクドライブ装置１と同様な構成を有しており、ディスクドライブ装置１と異なるところは、パルス信号発生部の第２の具体例を示す周波数発生器（ＦＧ）５２のみである。そのため、ここでは、周波数発生器５２について説明し、ディスクドライブ装置１と共通する部分には同一符号を付して重複した説明を省略する。
【００４９】
図８に示すように、ディスクドライブ装置５１の周波数発生器５２は、スピンドルモータ２の内部に搭載されている。この周波数発生器５２は、スピンドルモータ２の回転に応じたパルス信号の第２の具体例を示すＦＧパルス信号を発生させる。即ち、ＦＧパルス信号は、スピンドルモータ２が所定角度回転する毎にパルスを出力する信号である。
【００５０】
また、スピンドルモータ２の内部には、Ｚ相信号出力回路５３が設けられている。このＺ相信号出力回路５３は、スピンドルモータ２が１回転する毎に１パルスを出力するＺ相信号を生成する。このＺ相信号は、スピンドルモータ２の基準位置を設定するための信号であり、Ｚ相信号のパルスが出力される位置をスピンドルモータ２のモータ基準位置として設定する。そして、周波数発生器５２及びＺ相信号出力回路５３は、ＦＧパルス信号及びＺ相信号をそれぞれ中央制御部４１に出力する。
【００５１】
ディスクドライブ装置５１の中央制御部４１は、ディスク基準位置４５とＦＧパルス信号を関連付けるディスク関連付け処理を行う。このディスクドライブ装置５１に係るディスク関連付け処理について、図９及び図１０を参照して説明する。図９に示すように、ディスクドライブ装置５１のターンテーブル１１に光ディスク１０１が装着されると、ドライブ制御部４２が、光ピックアップ３とスピンドルモータ２を制御し、光ディスク１０１を回転させて特定アドレスを連続して再生する（ステップＳ１１）。これにより、信号処理部６が特定アドレス信号を生成し、中央制御部４１に出力する。これと同時に、周波数発生器５２及びＺ相信号出力回路５３がＦＧパルス信号及びＺ相信号をそれぞれ中央制御部４１に出力する。
【００５２】
次に、中央制御部４１は、周波数発生器５２から供給されたＦＧパルス信号を一定時間毎に監視する(ステップＳ１２)。そして、Ｚ相信号からスピンドルモータ２のモータ基準位置を検出（ステップＳ１３）すると、中央制御部４１は、ＦＧパルス信号のパルス数をカウントする（ステップＳ１４）。図１０に示すように、Ｚ相信号は、スピンドルモータ２が１回転する毎にパルスを立ち上げる。そして、中央制御部４１は、Ｚ相信号のパルスが立ち上がる位置をモータ基準位置として検出する。
【００５３】
次に、中央制御部４１が、信号処理部６から供給された特定アドレス信号を監視する(ステップＳ１５)。そして、監視する特定アドレス信号からディスク基準位置４５を検出（ステップＳ１６）すると、中央制御部４１は、ＦＧパルス信号のパルス数のカウントを停止する（ステップＳ１７）。図１０に示すように、特定アドレス信号は、光ピックアップ３がディスク基準位置４５の特定のアドレスを再生したきにパルスを立ち上げる。これを中央制御部４１が検出することにより、特定アドレス信号からディスク基準位置４５を検出することができる。
【００５４】
次に、中央制御部４１が、カウントしたパルス数を図示しないメモリに記憶する（ステップＳ１８）。図１０に示すように、中央制御部４１がモータ基準位置（Ｚ相信号のパルス）を検出してからディスク基準位置４５を検出するまでにカウントしたパルス数が５パルスであったとする。この場合、光ディスク１０１は、ディスク基準位置４５がモータ基準位置（Ｚ相信号のパルス）から５パルスずれた状態で回転されていることになる。
【００５５】
そこで、中央制御部４１は、ＦＧパルス信号において、Ｚ相信号のパルスを検出したときに対応するパルスからステップＳ１８で記憶したパルス数後（本実施例では６パルスめ）を仮想のディスク基準位置に設定する（ステップＳ１９）。その結果、中央制御部４１は、ＦＧパルス信号から光ディスク１０１の絶対位置を把握することができる。これにより、ディスク基準位置４５とＦＧパルス信号を関連付けるディスク関連付け処理が終了する。
【００５６】
スピンドルモータ２に対する光ディスク１０１の相対位置の検出が終了した後、光ディスク１０１のレーベル面１０１ａに対する可視情報の印刷が実行される。この際、中央制御部４１は、ＦＧパルス信号から検出する光ディスク１０１の絶対位置に基づいて光ディスク１０１の位置情報を示す位置データ信号を生成し、プリント制御部４３に出力する。これにより、プリント制御部４３は、インク吐出駆動回路３５及びヘッド駆動回路３６を制御することができ、光ディスク１０１のレーベル面１０１ａに可視情報を印刷することができる。
【００５７】
レーベル面１０１ａに対する可視情報の印刷が終了すると、中央制御部４１は、印刷した可視情報やディスク基準位置４５を基準として表現されるレーベル面１０１ａの印刷済み領域等の印刷済み情報をドライブ制御部４２に出力する。そして、ドライブ制御部４２が、光ピックアップ３とスピンドルモータ２を制御し、印刷済み情報を光ディスク１０１の情報記録面に記録する。
【００５８】
その後、光ディスク１０１をディスクドライブ装置１から取り外し、再び光ディスク１０１をディスクドライブ装置に装着すると、スピンドルモータ２のモータ基準位置と光ディスク１０１のディスク基準位置４５の相対位置が変化する。そのため、中央制御部４１は、光ディスク１０１が装着されるたびに、ディスク関連付け処理を行い、光ディスク１０１の絶対位置を把握する。そして、情報記録面に記録された印刷済み情報を再生することにより、レーベル面１０１ａの印刷済み領域の絶対位置を検出することができ、印刷済み領域以外の印刷可能領域に追加印刷を行うことができる。
【００５９】
次に、本発明のディスクドライブ装置の第３実施形態を説明する。第３実施形態のディスクドライブ装置は、第１実施形態のディスクドライブ装置１と同様の構成を有しており、ディスクドライブ装置１と異なるところは、エンコーダ５ａのエンコーダディスク２６と、ディスク関連付け処理のみである。そのため、ここでは、エンコーダディスク２６及びディスク関連付け処理について説明し、ディスクドライブ装置１と共通する部分には同一符号を付して重複した説明を省略する。
【００６０】
図１１及び図１２に示すように、第３実施形態のディスクドライブ装置に係るエンコーダディスク２６は、薄い円板からなり、その中心部がチャッキングプレート１２の回転軸に固定されている。このエンコーダディスク２６には、半径方向に延在されるスリット２７が設けられている。エンコーダディスク２６のスリット２７が設けられた位置は、信号発生部基準位置の一具体例を示すエンコーダホームポジション２８とされている。これにより、エンコーダセンサ２２のセンス部２５は、エンコーダディスク２６のエンコーダホームポジション２８に設けたスリット２７を検出してパルスを立ち上げるエンコーダ信号を発生させる。
【００６１】
第３実施形態のディスクドライブ装置は、ディスク基準位置４５とエンコーダ信号を関連付けるディスク関連付け処理を行う。この第３実施形態のディスクドライブ装置に係るディスク関連付け処理について、図１３及び図１４を参照して説明する。
【００６２】
図１３に示すように、第３実施形態のディスクドライブ装置に係るターンテーブル１１に光ディスク１０１が装着されると、ドライブ制御部４２は、スピンドルモータ２を制御して光ディスク１０１を一定の速度で回転させる（ステップＳ２１）。そして、スピンドルモータ２が駆動されることにより、エンコーダセンサ２２がエンコーダ信号を中央制御部４１に出力する。また、ドライブ制御部４２は、光ピックアップ３を制御して特定アドレスを連続して再生させる。これにより、信号処理部６が特定アドレス信号を生成し、中央制御部４１に出力する。
【００６３】
次に、中央制御部４１が、エンコーダセンサ２２から供給されたエンコーダ信号を一定時間毎に監視する(ステップＳ２２)。そして、中央制御部４１は、監視するエンコーダ信号からエンコーダホームポジション２８を検出（ステップＳ２３）すると、時間の測定を開始する(ステップＳ２４)。図１４に示すように、エンコーダ信号Ｅ２は、エンコーダホームポジション２８のスリット２７がセンス部２５に対向したときにパルスを立ち上げる。これを中央制御部４１が検出することにより、エンコーダ信号Ｅ２からエンコーダホームポジション２８を検出することができる。
【００６４】
次に、中央制御部４１が、信号処理部６から供給された特定アドレス信号を監視する(ステップＳ２５)。そして、中央制御部４１は、監視する特定アドレス信号からディスク基準位置４５を検出（ステップＳ２６）すると、時間の測定を終了する（ステップＳ２７）。図１４に示すように、特定アドレス信号は、光ピックアップ３がディスク基準位置４５の特定のアドレスを再生したきにパルスを立ち上げる。これを中央制御部４１が検出することにより、特定アドレス信号からディスク基準位置４５を検出することができる。
【００６５】
次に、中央制御部４１は、測定した時間を図示しないメモリに記憶する（ステップＳ２８）。図１４に示すように、中央制御部４１がエンコーダホームポジション２８を検出してからディスク基準位置４５を検出するまでに測定した時間がＸ（ｓ）であったとする。この場合、ディスク基準位置４５は、光ディスク１０１を所定の速度で回転させた状態において、エンコーダホームポジション２８からＸ（ｓ）遅れた位置にあることになる。
【００６６】
そこで、中央制御部４１は、仮想のディスク基準位置を、エンコーダホームポジション２８を検出してからステップＳ２８で記憶した測定時間後に設定する（ステップＳ２９）。その結果、中央制御部４１は、光ディスク１０１の回転速度と測定した時間に基づいて、エンコーダホームポジション２８に対するディスク基準位置４５の角度差（ずれ角度）を算出することができ、エンコーダ信号から光ディスク１０１の絶対位置を把握することができる。これにより、ディスク基準位置４５とエンコーダ信号を関連付けるディスク関連付け処理が終了する。
【００６７】
ディスク関連付け処理が終了した後、光ディスク１０１のレーベル面１０１ａに対する可視情報の印刷が実行される。この際、中央制御部４１は、エンコーダ信号から検出する光ディスク１０１の絶対位置に基づいて光ディスク１０１の位置情報を示す位置データ信号を生成し、プリント制御部４３に出力する。これにより、プリント制御部４３は、インク吐出駆動回路３５及びヘッド駆動回路３６を制御することができ、光ディスク１０１のレーベル面１０１ａに可視情報を印刷することができる。
【００６８】
レーベル面１０１ａに対する可視情報の印刷が終了すると、中央制御部４１は、ディスク基準位置４５を基準として表現されるレーベル面１０１ａの印刷済み領域や印刷した可視情報等の印刷済み情報をドライブ制御部４２に出力する。そして、ドライブ制御部４２が、光ピックアップ３とスピンドルモータ２を制御し、印刷済み情報を光ディスク１０１の情報記録面に記録する。
【００６９】
その後、光ディスク１０１をディスクドライブ装置１から取り外し、再び光ディスク１０１をディスクドライブ装置に装着すると、エンコーダディスク２６のエンコーダホームポジション２８と光ディスク１０１のディスク基準位置４５の相対位置が変化する。そのため、中央制御部４１は、光ディスク１０１が装着されるたびに、ディスク関連付け処理を行い、光ディスク１０１の絶対位置を把握する。そして、情報記録面に記録された印刷済み情報を再生することにより、レーベル面１０１ａにおける印刷済み領域の絶対位置を検出することができ、印刷済み領域以外の印刷可能領域に追加印刷を行うことができる。
【００７０】
本実施の形態では、パルス信号発生部としてエンコーダ５ａを適用し、このエンコーダ５ａから出力されるエンコーダ信号によって光ディスク１０１の絶対位置を把握する構成としたが、これに限定されるものではない。本発明に係るパルス信号発生部としては、Ｚ相信号出力回路を適用し、このＺ相信号出力回路から出力されるＺ相信号によって光ディスク１０１の絶対位置を把握する構成とすることもできる。
【００７１】
パルス信号発生部としてＺ相信号出力回路を適用する場合、中央制御部４１は、一定時間毎にＺ相信号を監視し、Ｚ相信号のパルスを検出すると時間の測定を開始する。次に、特定アドレス信号を監視し、特定アドレス信号からディスク基準位置４５を検出すると、時間の測定を終了する。そして、中央制御部４１は、仮想のディスク基準位置を、Ｚ相信号のパルスを検出してから測定した時間後として設定する。その結果、中央制御部４１は、Ｚ相信号から光ディスク１０１の絶対位置を把握することができる。
【００７２】
次に、本発明のディスクドライブ装置の第４実施形態を図１５〜図１７を参照して説明する。図１５はディスクドライブ装置の第４実施形態の構成を示す斜視図、図１６は同じく平面図、図１７Ａはエンコーダディスク着脱機構によりエンコーダディスクをチャッキングプレートの回転軸に装着した状態の説明図、図１７Ｂはチャッキングプレートの回転軸からエンコーダディスクを取り外した状態の説明図である。
【００７３】
本発明のディスクドライブ装置の第４実施形態を示すディスクドライブ装置６１は、第１実施形態のディスクドライブ装置１と同様の構成を有している。このディスクドライブ装置６１がディスクドライブ装置１と異なるところは、エンコーダ５のエンコーダディスク２１をチャッキングプレート１２の回転軸に着脱可能に装着させるエンコーダディスク着脱機構６２を設けたことである。そのため、ここでは、エンコーダディスク着脱機構６２について説明し、ディスクドライブ装置１と共通する部分には同一符号を付して重複した説明を省略する。
【００７４】
図１５及び図１６に示すように、ディスクドライブ装置６１は、前面に設けられたトレイ６３によって光ディスク１０１（図１７を参照）を搬送する、いわゆるトレイ方式のディスクドライブ装置である。このディスクドライブ装置６１には、エンコーダディスク着脱機構６２を支持する支持部材６５が設けられている。この支持部材６５は、印刷ヘッド４を２本のガイド軸１４ａ，１４ｂに沿って移動させるための駆動力を発生するヘッド駆動モータ１５等が固定される仕切り部材６６に取り付けられている。
【００７５】
支持部材６５は、仕切り部材６６から略垂直に突出する一対の取付片６７ａ，６７ｂと、これら一対の取付片６７ａ，６７ｂに固定され、仕切り部材６６に対向される支持プレート６８から構成されている。一対の取付片６７ａ，６７ｂは、２本のガイド軸１４ａ，１４ｂと直交する方向に対向されている。支持プレート６８は、細長の長方形に形成されており、対向する２つの短辺が、それぞれ一対の取付片６７ａ，６７ｂの上部に固定されている。
【００７６】
図１７Ａ及び図１７Ｂに示すように、エンコーダディスク着脱機構６２は、エンコーダディスク２１を支持すると共にチャッキングプレート１２の回転軸９１に装着される装着部材７１と、装着部材７１をチャッキングプレート１２の回転軸９１の軸方向に移動させる移動部材７２と、移動部材７２を駆動させる駆動部の一具体例を示すエンコーダ用モータ７３等から構成されている。
【００７７】
ここで、エンコーダディスク２１及びチャッキングプレート１２について説明する。エンコーダディスク２１は、第１実施形態を示すディスクドライブ装置１において説明したように、薄い円板からなっている。このエンコーダディスク２１の半径方向の中間部は、透明部となっている（図１５及び図１６を参照）。しかしながら、本発明に係るエンコーダディスクとしては、透明部を設けない構成としてもよく。また、全体を透明にする構成としてもよい。
【００７８】
また、チャッキングプレート１２は、スピンドルモータ２の回転軸の先端に設けたターンテーブル１１に対向する位置に配置されている。このチャッキングプレート１２には、チャッキング回転軸の一具体例を示す回転軸９１が設けられている。この回転軸９１は、仕切り部材６６の下方に設けられた支持板９３に回転可能に支持されている。
【００７９】
回転軸９１は、支持板９３を貫通しており、軸方向の中間部で支持板９３に回転可能に支持されている。この回転軸９１において、支持板９３の下面側に突出する端部は、その軸心がチャッキングプレート１２の中心部に一致されて固定されている。そして、回転軸９１において、支持板９３の上面側に突出する端部には、エンコーダディスク着脱機構６２の装着部材７１が装着される装着部９２が設けられている。この装着部９２は、回転軸９１の軸心と直交する平面を有する円板からなり、その中心が回転軸９１の軸心と一致されている。
【００８０】
装着部９２の上面には、装着部材７１の後述する固定部７５が接触される。装着部９２の上面に装着部材７１の固定部７５を接触させることにより、両者間に摩擦抵抗が生じ、装着部材７１が回転軸９１と一体に回転するようになっている。したがって、装着部材７１は、装着部９２の上面に接触することにより回転軸９１に装着された状態となる。装着部９２の上面には、装着部材７１の固定部７５との間に生じる摩擦抵抗を大きくするためのゴムシート（図示せず）が貼り付けられている。
【００８１】
エンコーダディスク着脱機構６２の装着部材７１は、エンコーダディスク２１の中心部を挟んで固定する固定部７５と、この固定部７５の上面から突出する軸部７６と、この軸部７６に固定される係合部７７を有している。装着部材７１の固定部７５の下面は、チャッキングプレート１２の回転軸９１に設けた装着部９２の上面に接触される。この固定部７５の下面には、装着部９２の上面との間に生じる摩擦抵抗を大きくするためのゴムシート（図示せず）が貼り付けられている。
【００８２】
装着部材７１の軸部７６は、その軸心がエンコーダディスク２１の中心と一致するように配置されている。つまり、軸部７６の軸心は、チャッキングプレート１２の回転軸９１の軸心と一致している。この軸部７６は、支持部材６５の支持プレート６８に設けられた貫通孔（図示せず）を貫通している。
【００８３】
係合部７７は、軸部７６において、支持プレート６８の上面側に突出する部分に固定されている。この係合部７７は、軸部７６の軸心と直交する平面を有する円板からなり、その中心が回転軸９１の軸心と一致されている。この係合部７７には、移動部材７２の後述する爪部８０が係合される。図１７Ａに示すように、装着部材７１の固定部７５が回転軸９１の装着部９２に接触した状態において、係合部７７は、支持プレート６８から所定の距離Ｌ１だけ離間された状態となっている。
【００８４】
エンコーダディスク着脱機構６２の移動部材７２は、支持プレート６８の上面に配置され、その上面を摺動するようになっている。この移動部材７２は、側面形状が略Ｌ字状に形成されており、縦長の直方体からなるベース部７９と、このベース部７９に連続して水平方向に延在される爪部８０からなっている。移動部材７２のベース部７９には、水平方向に貫通するねじ孔（図示せず）が設けられており、このねじ孔に、エンコーダ用モータ７３の回転軸として設けられた送りねじ軸８１が螺合されている。
【００８５】
移動部材７２の爪部８０の高さＬ２は、装着部材７１が回転軸９１に接触した状態における係合部７７と支持プレート６８と間の距離Ｌ１よりも高く（長く）なるように設定されている。この爪部８０には、先端に至るにつれて低くなるように傾斜された傾斜面８０ａが設けられている。この爪部８０の傾斜面８０ａ及びそれに連続する上面８０ｂは、装着部材７１の係合部７７に係合される。また、爪部８０には、装着部材７１の軸部７６との干渉を避けるための切欠き８０ｃ（図１５及び図１６を参照）が設けられている。
【００８６】
エンコーダ用モータ７３は、取付ブラケット８２によって支持プレート６８に固定されている。この取付ブラケット８２は、支持プレート６８に固定されており、エンコーダ用モータ７３の一端に突出した送りねじ軸８１の両端部を回転自在に支持している。この取付ブラケット８２において、送りねじ軸８１の先端部を支持する部位は、爪部８０の上面８０ｂに係合する係合片８２ａとなっている。そのため、移動部材７２は、係合片８２ａによって送りねじ軸８１の軸周りの方向への移動が規制された状態となっている。
【００８７】
エンコーダ用モータ７３を駆動すると、送りねじ軸８１の回転力が移動部材７２に伝達される。このとき、移動部材７２は、送りねじ軸８１の軸周りの方向への移動が規制されているため、所定位置で回転駆動される送りねじ軸８１の軸方向に移動する。つまり、移動部材７２は、エンコーダ用モータ７３の回転方向に応じて、装着部材７１に近づく方向と離れる方向とに選択的に移動される。
【００８８】
次に、エンコーダディスク着脱機構６２によるエンコーダディスク２１の着脱動作について説明する。
【００８９】
図１７Ａに示すように、移動部材７２が装着部材７１から離れている場合、固定部７５に固定されたエンコーダディスク２１が、チャッキングプレート１２の回転軸９１に装着された状態となる。つまり、固定部７５の下面がチャッキングプレート１２の回転軸９１に設けた装着部９２の上面に接触されている。この状態において、チャッキングプレート１２が回転すると、装着部９２の上面と固定部７５の下面との間に摩擦抵抗が生じ、装着部材７１が回転軸９１と一体に回転される。即ち、装着部材７１に固定されたエンコーダディスク２１が、チャッキングプレート１２を介して光ディスク１０１（スピンドルモータ２）と一体に回転される。
【００９０】
エンコーダディスク２１をチャッキングプレート１２の回転軸９１から取り外すには、エンコーダ用モータ７３を駆動させ、移動部材７２を装着部材７１に近づく方向に移動させる。これにより、移動部材７２の爪部８０が、装着部材７１の係合部７７に係合される。このとき、まず、爪部８０の傾斜面８０ａが係合部７７に当接される。そして、移動部材７２が更に移動されると、係合部７７が爪部８０によって押圧される。
【００９１】
このとき、軸部７６が支持プレート６８の貫通孔を貫通し、その軸方向のみに移動可能とされているため、装着部材７１は、爪部８０の傾斜面８０ａから係合部７７に伝わる力によって上方に移動する。装着部材７１が上方に移動すると、固定部７５の下面が回転軸９１の装着部９２から離反される。そして、図１７Ｂに示すように、係合部７７の下面が爪部８０の上面８０ｂに当接されると、装着部材７１の上方への移動が停止される。
【００９２】
その後、エンコーダ用モータ７３の駆動を停止して移動部材７２の移動が停止されると、エンコーダディスク着脱機構６２によるエンコーダディスク２１の取り外し動作が終了する。装着部材７１の上方への移動が停止されると、固定部７５の下面と装着部９２の上面との間の距離が距離Ｌ３となり、両者の離間距離が最大となる。この距離Ｌ３は、爪部８０の高さＬ２と、装着部材７１が回転軸９１に接触した状態における係合部７７と支持プレート６８と間の距離Ｌ１の差である（Ｌ２−Ｌ１＝Ｌ３）。
【００９３】
装着部材７１を回転軸９１の装着部９２から取り外すことにより、エンコーダディスク２１を、チャッキングプレート１２と一体に回転させないようにすることができる。その結果、エンコーダ５を用いて光ディスク１０１の絶対位置を把握する必要がないときに、エンコーダディスク２１をチャッキングプレート１２から取り外すことで、スピンドルモータ２の負荷を低減させることができ、消費電力の削減を図ることができる。
【００９４】
なお、エンコーダディスク２１をチャッキングプレート１２の回転軸９１に装着させる場合には、エンコーダ用モータ７３を駆動させ、移動部材７２を装着部材７１から離れる方向に移動させる。これにより、装着部材７１の係合部７７と移動部材７２の爪部８０との係合が外れる。そして、装着部材７１の固定部７５の下面が回転軸９１の装着部９２の上面に接触し、固定部７５に固定されたエンコーダディスク２１が、チャッキングプレート１２の回転軸９１に装着される。
【００９５】
次に、制御部７（図１を参照）によるエンコーダディスク着脱機構６２の制御について説明する。装着された光ディスク１０１のレーベル面１０１ａに可視情報を印刷する場合、制御部７は、エンコーダ用モータ７３を駆動させ、エンコーダディスク２１をチャッキングプレート１２の回転軸９１に装着させる。これにより、エンコーダディスク２１が、チャッキングプレート１２を介して光ディスク１０１（スピンドルモータ２）と一体に回転される。その結果、制御部７は、上述したディスク基準位置４５とエンコーダ信号を関連付けるディスク関連付け処理を行うことができ、光ディスク１０１の絶対位置を把握することができる。
【００９６】
また、装着された光ディスク１０１の情報記録面に情報信号を記録したり、記録されている情報信号を再生したりする場合、制御部７は、エンコーダ用モータ７３を駆動させ、エンコーダディスク２１をチャッキングプレート１２の回転軸９１から取り外す。これにより、光ディスク１０１の情報記録面に情報信号を記録したり、記録されている情報信号を再生したりするときのスピンドルモータ２の負荷を低減させることができ、消費電力の削減を図ることができる。
【００９７】
光ディスク１０１のレーベル面１０１ａに可視情報を印刷する場合、スピンドルモータ２の回転数は、例えば、数１０〜１０００ｒｐｍ程度に制御される。これは、高速で回転駆動される光ディスク１０１に、印刷ヘッド４によるインク滴の吐出周波数を対応させることが困難になるためである。
【００９８】
一方、光ディスク１０１の情報記録面に情報信号を記録したり、記録されている情報信号を再生したりする場合、スピンドルモータ２の回転数は、１０００ｒｐｍ以上の回転数に制御される。例えば、光ディスク１０１がＣＤ(Compact Disc-Recordable)やＤＶＤ(Digital Versatile Disc）等の場合には、１００００ｒｐｍ程度の回転数に制御される。このような高速回転時において、スピンドルモータ２の負荷を低減させると、消費電力を削減することができると共に、光ディスク１０１を安定して回転させることができる。そのため、光ディスク１０１の情報記録面に情報信号を記録したり、記録されている情報信号を再生したりする場合に、エンコーダディスク２１をチャッキングプレート１２の回転軸９１から取り外すことは、極めて有効な効果を奏することになる。
【００９９】
本実施の形態では、装着部９２の上面に装着部材７１の固定部７５を接触させ、両者間に摩擦抵抗が生じさせることにより、装着部材７１が回転軸９１と一体に回転するように構成した。しかしながら、本発明に係る固定部７５の装着部９２への装着としては、装着部９２の上面と固定部７５の下面にマグネットを取り付けて、両者を磁力によって引き合わせる構成としてもよい。
【０１００】
以上説明したように、本発明のディスクドライブ装置及びディスク印刷方法によれば、パルス発生部によって発生されるパルス信号と情報記録媒体のディスク基準位置を関連付けるディスク関連付け処理を行うため、パルス信号からディスク状記録媒体の位置情報を得ることができる。その結果、回転させたディスク状記録媒体のレーベル面にインク滴を吐出して印刷を行うことができる。
【０１０１】
また、装置に対してディスク状記録媒体の排出及び挿入が繰り返されても、常に、そのディスク状記録媒体の絶対位置を把握することができる。そして、ディスク基準位置を基準として印刷済みの領域を表し、ディスク状記録媒体の情報記録面や制御部のメモリに記録することにより、レーベル面に対して追加印刷を行うことができる。
【０１０２】
更に、レーベル面に印刷を行う際、制御部がパルス信号に基づいて回転駆動部を制御し、ディスク状記録媒体を回転させるため、記録及び／又は再生部の動作を停止させることができ、消費電力を削減することができる。
【０１０３】
また、光ディスクの情報記録面に情報信号を記録したり、記録されている情報信号を再生したりする場合に、エンコーダディスク着脱機構によってエンコーダディスクをチャッキング回転軸から取り外すことができる。これにより、光ディスクの情報記録面に情報信号を記録したり、記録されている情報信号を再生したりする場合のスピンドルモータの負荷を低減させることができる。その結果、消費電力を削減することができると共に、光ディスクを安定して回転させることができる。
【０１０４】
本発明は、前述しかつ図面に示した実施の形態に限定されるものではなく、その要旨を逸脱しない範囲内で種々の変形実施が可能である。例えば、前記実施形態では、レーベル面における印刷済み領域や印刷した可視情報等の印刷済み情報をディスク状記録媒体の情報記録面に記録する構成としたが、印刷済み情報を、その印刷を行ったディスク状記録媒体の型番と合わせて装置のメモリに記憶させることもできる。
【図面の簡単な説明】
【０１０５】
【図１】本発明のディスクドライブ装置の第１実施形態を示すブロック図である。
【図２】本発明のディスクドライブ装置の第１実施形態に係るパルス発生部を説明する説明図である。
【図３】本発明のディスクドライブ装置の第１実施形態に係るパルス発生部のエンコーダディスクを説明する説明図である。
【図４】本発明のディスクドライブ装置の第１実施形態に係るパルス発生部とディスク状記録媒体との相対位置の検出手順を示すフローチャートである。
【図５】本発明のディスクドライブ装置の第１実施形態に係るパルス発生部により出力されるエンコーダ信号と信号処理部により生成される特定アドレス信号を示す説明図である。
【図６】本発明のディスクドライブ装置による追加印刷を説明するもので、図６Ａはディスク状記録媒体に略扇形の可視情報を印刷した状態の説明図、図６Ｂは図６Ａに示すディスク状記録媒体に略扇形の可視情報を追加印刷した状態の説明図である。
【図７】本発明のディスクドライブ装置による追加印刷を説明するもので、図７Ａはディスク状記録媒体に四角形の可視情報を印刷した状態の説明図、図７Ｂは図７Ａに示すディスク状記録媒体に四角形の可視情報を２つ追加印刷した状態の説明図である。
【図８】本発明のディスクドライブ装置の第２実施形態を示すブロック図である。
【図９】本発明のディスクドライブ装置の第２実施形態に係る回転駆動部とディスク状記録媒体との相対位置の検出手順を示すフローチャートである。
【図１０】本発明のディスクドライブ装置の第２実施形態に係るパルス発生部により出力されるＦＧパルス信号と信号処理部により生成される特定アドレス信号を示す説明図である。
【図１１】本発明のディスクドライブ装置の第３実施形態に係るパルス発生部を説明する説明図である。
【図１２】本発明のディスクドライブ装置の第３実施形態に係るパルス発生部のエンコーダディスクを説明する説明図である。
【図１３】本発明のディスクドライブ装置の第３実施形態に係るパルス発生部とディスク状記録媒体との相対位置の検出手順を示すフローチャートである。
【図１４】本発明のディスクドライブ装置の第３実施形態に係るパルス発生部により出力されるエンコーダ信号と信号処理部により生成される特定アドレス信号を示す説明図である。
【図１５】本発明のディスクドライブ装置の第４実施形態の構成を示す斜視図である。
【図１６】本発明のディスクドライブ装置の第４実施形態の構成を示す平面図である。
【図１７】本発明のディスクドライブ装置の第４実施形態に係るエンコーダディスク着脱機構を説明するものであり、図１７Ａはエンコーダディスク着脱機構によりエンコーダディスクをチャッキングプレートの回転軸に装着した状態の説明図、図１７Ｂはチャッキングプレートの回転軸からエンコーダディスクを取り外した状態の説明図である。
【符号の説明】
【０１０６】
１，５１，６１…ディスクドライブ装置、  ２…スピンドルモータ（回転駆動部）、  ３…光ピックアップ（記録及び／又は再生部）、  ４…印刷ヘッド、  ５…エンコーダ（パルス信号発生部）、  ６…信号処理部、  ７…制御部、  １５…ヘッド駆動モータ、  ２１…エンコーダディスク、  ２２，２６…エンコーダセンサ、  ２３，２７…スリット（検出部）、  ２４，２８…エンコーダホームポジション（パルス信号発生部の基準位置）、  ２５…センス部、  ４１…中央制御部、  ４２…ドライブ制御部、  ４３…プリント制御部、  ５２…周波数発生器（パルス信号発生部）、  ５３…Ｚ相信号出力回路、  ６２…エンコーダディスク着脱機構、  ７１…装着部材、  ７２…移動部材、  ７３…エンコーダ用モータ、  ７５…固定部、  ７６…軸部、  ７７…係合部、  ７９…ベース部、  ８０…爪部、８０ａ…傾斜面、  ８０ｂ…上面、  ８０ｃ…切欠き、  ９１…回転軸（チャッキング回転軸）、  ９２…装着部
【図１】
2008181640.tif 000003
【図２】
2008181640.tif 000004
【図３】
2008181640.tif 000005
【図４】
2008181640.tif 000006
【図５】
2008181640.tif 000007
【図６】
2008181640.tif 000008
【図７】
2008181640.tif 000009
【図８】
2008181640.tif 000010
【図９】
2008181640.tif 000011
【図１０】
2008181640.tif 000012
【図１１】
2008181640.tif 000013
【図１２】
2008181640.tif 000014
【図１３】
2008181640.tif 000015
【図１４】
2008181640.tif 000016
【図１５】
2008181640.tif 000017
【図１６】
2008181640.tif 000018
【図１７】
2008181640.tif 000019